(57)【要約】【課題】簡素な構造のシールリップ保護部材を提供すること。【解決手段】グロメットのシールリップ１００のためのシールリップ保護部材１０は、幅方向の中央部で二つ折り可能であり、二つ折りすることでグロメットのシールリップ１００を挟み、挟んだとき、折り曲げ部の内側に、シールリップの先端部１０１を非接触または軽接触の状態で収容する、折り曲げ反発力でできた空間を確保可能な帯状のテープ基材１１と、テープ基材１１の片面に設けられ、該テープ基材１１を二つ折りにして前記シールリップ１００を挟んだとき、シールリップ１００の両面に接着可能な粘着材１３と、を備える。【選択図】図１
2009038931.tif 000002
【特許請求の範囲】
【請求項１】
幅方向の中央部で二つ折り可能であり、二つ折りすることでグロメットのシールリップを挟み、挟んだとき、折り曲げ部の内側に、前記シールリップの先端部を非接触または軽接触の状態で収容する、折り曲げ反発力でできた空間を確保可能な帯状のテープ基材と、
前記テープ基材の片面に設けられ、該テープ基材を二つ折りにして前記シールリップを挟んだとき、該シールリップの両面に接着可能な粘着材と、
を備えることを特徴とするシールリップ保護部材。
【請求項２】
前記テープ基材の折り曲げ部となる部分の内側の面に、粘着材を排除した非粘着部を設け、該非粘着部で前記空間を確保するようにしたことを特徴とする請求項１に記載したシールリップ保護部材。
【請求項３】
前記テープ基材の折り曲げ部となる部分の内側の面に凹部を設け、その凹部を前記非粘着部としたことを特徴とする請求項２に記載したシールリップ保護部材。
【請求項４】
前記テープ基材の折り曲げ部となる部分の外側に、折り曲げ反発力を高めるためのリブを設けたことを特徴とする請求項１〜請求項３のいずれか一項に記載したシールリップ保護部材。
【請求項５】
請求項１〜請求項４のいずれか一項に記載のシールリップ保護部材を使用したシールリップ保護構造であって、
前記テープ基材を二つ折りすることで、前記グロメットのシールリップを挟み、その状態で前記粘着材でシールリップの両面にテープ基材を貼り付け、該テープ基材の折り曲げ部の内側にできた空間に、前記シールリップの先端部を収容したことを特徴とするシールリップ保護構造。
【発明の詳細な説明】
【技術分野】
【０００１】
本発明は、グロメットのためのシールリップ保護部材、および該シールリップ保護部材を使用したシールリップ保護構造に関する。
【背景技術】
【０００２】
自動車等の車両の車体パネルを貫通してワイヤハーネスを配索するような場合、車体パネルに対するワイヤハーネスの貫通部にグロメットを装着して、ワイヤハーネスと車体パネルとの間をシールしている。その場合、グロメットにはシールリップを設け、そのシールリップの先端を車体パネルの板面に密着させることで、シール性を確保している。
【０００３】
従って、シールリップの先端部が、搬送時や取り扱い時等に損傷を受けると、シール性能に影響を与えるおそれが大きいため、実際に車体に装着して使用するまでの間、シールリップを保護部材で保護することが行なわれている。
【０００４】
その種の保護部材として、従来、特許文献１に記載のグロメットカバーが知られている。このグロメットカバーは、断面Ｕ字形の剛性壁材により環状空洞部を形成し、その環状空洞部にグロメットのシールリップを収容するようにしたものである。
【０００５】
【特許文献１】特開２００４−８８９３１号公報
【発明の開示】
【発明が解決しようとする課題】
【０００６】
ところで、特許文献１に記載された従来の保護部材は、一定の形状を維持するための剛性を保つ関係で、大きな外形で大きな重量のものとなっており、グロメットの保管時や運搬時の占有スペースが大きくなる上に、製作するための材料コストや成形コストも多くかかるという問題があった。また、コスト高なものである故に、使い捨てでは、グロメットの製品コストに大きな影響を及ぼす。そのため、回収して洗浄し再利用を試みているが、回収・洗浄に余分なコストがかかるという問題もあった。
【０００７】
本発明は、上述した事情に鑑みてなされたものであり、その目的は、簡素な構成で、省スペース化および軽量化を図ることができると共に、材料使用量を削減することができ、それにより、使い捨てできるほどに単純で低コスト化が可能であり、回収不要の、グロメットのためのシールリップ保護部材、および該シールリップ保護部材を使用したシールリップ保護構造を提供することにある。
【課題を解決するための手段】
【０００８】
前述した目的を達成するために、本発明に係るシールリップ保護部材は、下記（１）〜（４）を特徴としている。
（１）  幅方向の中央部で二つ折り可能であり、二つ折りすることでグロメットのシールリップを挟み、挟んだとき、折り曲げ部の内側に、前記シールリップの先端部を非接触または軽接触の状態で収容する、折り曲げ反発力でできた空間を確保可能な帯状のテープ基材と、
前記テープ基材の片面に設けられ、該テープ基材を二つ折りにして前記シールリップを挟んだとき、該シールリップの両面に接着可能な粘着材と、
を備えること。
（２）  上記（１）の構成のシールリップ保護部材において、
前記テープ基材の折り曲げ部となる部分の内側の面に、粘着材を排除した非粘着部を設け、該非粘着部で前記空間を確保するようにしたこと。
（３）  上記（２）の構成のシールリップ保護部材において、
前記テープ基材の折り曲げ部となる部分の内側の面に凹部を設け、その凹部を前記非粘着部としたこと。
（４）  上記（１）〜（３）のいずれかの構成のシールリップ保護部材において、
前記テープ基材の折り曲げ部となる部分の外側に、折り曲げ反発力を高めるためのリブを設けたこと。
【０００９】
上記（１）の構成のシールリップ保護部材によれば、二つ折りにしてシールリップへ貼り付けるだけで、テープ基材の折り曲げ反発力でできた空間にシールリップの先端部を収容することができ、シール性能に重要な影響を及ぼすシールリップの先端部を安全に保護することができる。また、グロメットを、例えば自動車等の車両の車体パネルに装着する場合は、保護部材を剥がせば、そのまま使用することができる。また、この保護部材は、テープ基材に粘着材を貼り付けただけの単純な構成のものであるから、省スペース化および軽量化を図ることができるし、保護部材を作るための材料の使用量も従来品に比べて僅かですむため、省資源化および低コスト化を図ることもできる。更に、再利用する程の高価なものとはならないので、回収・洗浄費用が不要であり、洗浄に使用した排出物の抑制化にも寄与することができる。
上記（２）の構成のシールリップ保護部材によれば、前記テープ基材の折り曲げ部となる部分の内側の面に、粘着材を排除した非粘着部を設けたので、シールリップの先端部を、粘着材が付かないようにした状態で保護することができる。
上記（３）の構成のシールリップ保護部材によれば、前記テープ基材の折り目となる部分の内側の面に凹部を設け、その凹部を非粘着部としたので、より確実にシールリップの先端部を、粘着材が付かないようにした状態で保護することができる。
上記（４）の構成のシールリップ保護部材によれば、テープ基材の折り曲げ部となる部分の外側にリブを設けることで、テープ基材の折り曲げ反発力を高めたので、シールリップの先端部を収容する空間を大きく確保することができ、より確実にシールリップの先端部を、粘着材が付かないようにした状態で保護することができる。
【００１０】
前述した目的を達成するために、本発明に係るシールリップ保護構造は、
上記（１）〜（４）のいずれかの構成のシールリップ保護部材を使用したシールリップ保護構造であって、前記テープ基材を二つ折りすることで、前記グロメットのシールリップを挟み、その状態で前記粘着材でシールリップの両面にテープ基材を貼り付け、該テープ基材の折り曲げ部の内側にできた空間に、前記シールリップの先端部を収容したことを特徴としている。
【００１１】
このシールリップ保護構造によれば、テープ基材の折り曲げ反発力でできた空間にシールリップの先端部を収容しているので、シール性能に重要な影響を及ぼすシールリップの先端部を安全に保護することができる。また、グロメットを、例えば自動車等の車両の車体パネルに装着する場合は、保護部材を剥がせば、そのまま使用することができる。また、使用する保護部材は、テープ基材に粘着材を貼り付けただけの単純な構成のものでよい、省スペース化および軽量化を図ることができるし、保護部材を作るための材料の使用量も従来品に比べて僅かですむため、省資源化および低コスト化を図ることもできる。更に、再利用する程の高価なものとはならないので、回収・洗浄費用が不要であり、洗浄に使用した排出物の抑制化にも寄与することができる。
【発明の効果】
【００１２】
本発明によれば、簡素な構成で、省スペース化および軽量化を図ることができると共に、材料使用量を削減することができ、それにより、使い捨てできるほどに単純で低コスト化が可能であり、回収不要の、グロメットのためのシールリップ保護部材、および該シールリップ保護部材を使用したシールリップ保護構造を提供できる。
【００１３】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１４】
以下、本発明に係る好適な実施形態を図面に基づいて詳細に説明する。
【００１５】
（第１実施形態）
図１（ａ）〜（ｃ）は第１実施形態のシールリップ保護部材およびシールリップ保護構造の構成図であって、図１（ａ）はシールリップに貼り付ける前の保護部材の斜視図、図１（ｂ）はシールリップに保護部材を貼り付けようとしている状態を示す断面図、そして図１（ｃ）はシールリップに保護部材を貼り付けた状態を示す断面図である。
【００１６】
このシールリップ保護部材１０は、幅方向の中央部で二つ折り可能であり、二つ折りすることでグロメットのシールリップ１００を挟み、挟んだとき、折り曲げ部の内側に、シールリップ１００の先端部１０１を非接触または軽接触の状態で収容する、折り曲げ反発力でできた空間Ｓを確保可能な帯状のテープ基材１１と、このテープ基材１１の片面に設けられ、該テープ基材１１を二つ折りにしてシールリップ１００を挟んだとき、シールリップ１００の両面に接着可能な粘着材１３と、を備えている。
【００１７】
そして、テープ基材１１の折り曲げ部となる部分の内側の面には、粘着材１３を排除した非粘着部１２が設けられており、この非粘着部１２で前記空間Ｓを確保するようになっている。
【００１８】
この保護部材１０でシールリップ１００の先端部１０１を保護する場合は、図１（ｂ）および（ｃ）に示すように、テープ基材１１を二つ折りすることで、グロメットのシールリップ１００を挟み込み、その状態で、粘着材１３でシールリップ１００の両面にテープ基材１１を貼り付ける。そして、テープ基材１１の折り曲げ部の内側の折り曲げ反発力によりできた空間Ｓに、シールリップ１００の先端部１０１を収容する。これにより、シールリップ保護構造ができあがる。
【００１９】
上記シールリップ保護部材１０によれば、二つ折りにしてシールリップ１００へ貼り付けるだけで、テープ基材１１の折り曲げ反発力でできた空間Ｓにシールリップ１００の先端部１０１を収容することができるので、シール性能に重要な影響を及ぼすシールリップ１００の先端部１０１を、簡単な作業により安全に保護することができる。また、グロメットを、例えば自動車等の車両の車体パネルに装着する場合は、シールリップ保護部材１０をシールリップ１００から剥がせば、そのまま使用することができる。
【００２０】
また、このシールリップ保護部材１０は、テープ基材１１に粘着材１３を貼り付けただけの単純な構成のものであるから、省スペース化および軽量化を図ることができるし、保護部材１０を作るための材料の使用量も従来品に比べて僅かですむため、省資源化および低コスト化を図ることもできる。更に、再利用する程の高価なものとはならないので、回収・洗浄費用が不要であり、洗浄に使用した排出物の抑制化にも寄与することができる。
【００２１】
また、テープ基材１１の折り曲げ部となる部分の内側の面に、粘着材１３を排除した非粘着部１２を設けているので、シールリップ１００の先端部１０１を、粘着材１３が付かないようにした状態で確実に保護することができる。
【００２２】
また、テープ基材１１の折り曲げ部となる部分の内側の面に、断面が矩形状、三角形状、半円状等の凹部を設けておき、その凹部を非粘着部１２として構成してもよい。そのようにすれば、より大きな空間Ｓを確保できるので、確実にシールリップ１００の先端部１０１を、粘着材１３が付かないようにした状態で保護することができる。
【００２３】
（第２実施形態）
図２（ａ）〜（ｃ）は第２実施形態のシールリップ保護部材およびシールリップ保護構造の構成図であって、図２（ａ）はシールリップに貼り付ける前の保護部材の斜視図、図２（ｂ）はシールリップに保護部材を貼り付けようとしている状態を示す断面図、そして図２（ｃ）はシールリップに保護部材を貼り付けた状態を示す断面図である。
【００２４】
このシールリップ保護部材２０は、幅方向の中央部で二つ折り可能であり、二つ折りすることでグロメットのシールリップ１００を挟み、挟んだとき、折り曲げ部の内側に、シールリップ１００の先端部１０１を非接触または軽接触の状態で収容する、折り曲げ反発力でできた空間Ｓを確保可能な帯状のテープ基材２１と、このテープ基材２１の片面に設けられ、該テープ基材２１を二つ折りにしてシールリップ１００を挟んだとき、シールリップ１００の両面に接着可能な粘着材２３と、を備えている。
【００２５】
そして、テープ基材２１の折り曲げ部となる部分の外側に、折り曲げ反発力を高めるためのリブ２２が設けられており、このリブ２２があることによる曲げにくさにより、前記空間Ｓを確保するようになっている。尚、リブ２２の断面は、矩形状、三角形状、半円状等のいずれであってもよい。
【００２６】
上記シールリップ保護部材２０によれば、二つ折りにしてシールリップ１００へ貼り付けるだけで、テープ基材２１の折り曲げ反発力でできた空間Ｓにシールリップ１００の先端部１０１を収容することができるので、シール性能に重要な影響を及ぼすシールリップ１００の先端部１０１を、簡単な作業により安全に保護することができる。また、グロメットを、例えば自動車等の車両の車体パネルに装着する場合は、シールリップ保護部材２０をシールリップ１００から剥がせば、そのまま使用することができる。
【００２７】
また、このシールリップ保護部材２０は、テープ基材２１に粘着材２３を貼り付けただけの単純な構成のものであるから、省スペース化および軽量化を図ることができるし、保護部材２０を作るための材料の使用量も従来品に比べて僅かですむため、省資源化および低コスト化を図ることもできる。更に、再利用する程の高価なものとはならないので、回収・洗浄費用が不要であり、洗浄に使用した排出物の抑制化にも寄与することができる。
【００２８】
また、テープ基材２１の折り曲げ部となる部分の外側にリブ２２を設け、リブ２２を設けたことによる折り曲げ反発力の増大により、前記空間Ｓを確保するようにしているので、シールリップ１００の先端部１０１を、粘着材２３が付かないようにした状態で確実に保護することができる。
【００２９】
尚、図２に示した例では粘着材２３をテープ基材２１の片面全域に設けているが、第１実施形態のように、幅方向の中央部だけ粘着材２３を排除した非粘着部を設けてもよい。
【００３０】
また、上述の第１実施形態および第２実施形態の保護部材１０、２０においては、テープ基材１１、２１は外力に耐え得る板厚を持っており、粘着材１３、２３は外力に耐えるだけの粘着力を持っている。また、保護部材１０、２０の粘着材１３、２３の表面に剥離フィルムを付けておき、使用時に剥離フィルムを剥がしてから粘着材１３、２３をシールリップ１００の先端部１０１貼り付けるようにしてもよい。
【００３１】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３２】
例えば、上記第１実施形態においては、テープ基材１１の幅方向の中央部に非粘着部１２を設けているが、前記の空間Ｓが十分に確保できれば、非粘着部１２を省略してもよい。
【図面の簡単な説明】
【００３３】
【図１】本発明の第１実施形態のシールリップ保護部材および保護構造の構成図であって、（ａ）はシールリップに貼り付ける前の保護部材の斜視図、（ｂ）はシールリップに保護部材を貼り付けようとしている状態を示す断面図、そして（ｃ）はシールリップに保護部材を貼り付けた状態を示す断面図である。
【図２】本発明の第２実施形態のシールリップ保護部材および保護構造の構成図であって、（ａ）はシールリップに貼り付ける前の保護部材の斜視図、（ｂ）はシールリップに保護部材を貼り付けようとしている状態を示す断面図、そして（ｃ）はシールリップに保護部材を貼り付けた状態を示す断面図である。
【符号の説明】
【００３４】
１０，２０：シールリップ保護部材
１１，２１：テープ基材
１２：非粘着部
１３，２３：粘着材
２２：リブ
１００：シールリップ
１０１：先端部
Ｓ：空間
【図１】
2009038931.tif 000003
【図２】
2009038931.tif 000004